(57)【要約】【課題】脚立等の昇降台を同じ向きに積み重ねた場合のみならず互い違いに積み重ねた場合にも荷崩れを防止できるようにした折畳式昇降台を提供する。【解決手段】略ハの字状に配置される左右一対の支柱７，７に踏桟８を上下複数段に取り付けた一対の脚体４，４の上端部どうしを開脚姿勢と折畳姿勢とに折り畳み自在に枢支連結してなる折畳式昇降台であって、各脚体４には各支柱７の上端側所要部及び下段側踏桟８ａの所要部で複数の昇降台１を折畳姿勢で積み重ねる時に互いに対面する側面部に、昇降台１を同じ向き又は互い違いに積み重ね時に昇降台１，１どうし間で互いに凹凸嵌合する係合凸部９及び係合凹部１０を備えた荷崩れ防止ガイド２，３を取り付ける。【選択図】図１
2008208592.tif 000002
【特許請求の範囲】
【請求項１】
略ハの字状に配置される左右一対の支柱に踏桟を上下複数段に取り付けた一対の脚体の上端部どうしを開脚姿勢と折畳姿勢とに折り畳み自在に枢支連結してなる折畳式昇降台であって、
各脚体には各支柱の上端側所要部及び下段側踏桟の所要部で複数の昇降台を折畳姿勢で積み重ねる時に互いに対面する側面部に、昇降台を同じ向き又は互い違いに積み重ね時に昇降台どうし間で互いに凹凸嵌合する係合凸部及び係合凹部を備えた荷崩れ防止ガイドを取り付けたことを特徴とする折畳式昇降台。
【請求項２】
各荷崩れ防止ガイドは取付用ガイド本体を有し、この取付用ガイド本体の表面側に係合凸部及び係合凹部とリベット又はボルト取付用凹部とを設けてなることを特徴とする請求項１に記載の折畳式昇降台。
【請求項３】
取付用ガイド本体の裏面側には脚体の支柱側又は踏桟側に設けられる位置決め孔に係合する位置決め突起を設けてなることを特徴とする請求項２に記載の折畳式昇降台。
【請求項４】
脚体の支柱側に取り付けられる荷崩れ防止ガイドの取付用ガイド本体には、この支柱側荷崩れ防止ガイドの係合凹凸部が脚体の踏桟側に取り付けられる荷崩れ防止ガイドの係合凹凸部と凹凸嵌合する位置に取り付けられるように位置決めする位置決めマークを形成してなることを特徴とする請求項２又は３に記載の折畳式昇降台。
【請求項５】
脚体の踏桟側に取り付けられる荷崩れ防止ガイドの取付用ガイド本体には、この踏桟側荷崩れ防止ガイドの係合凹凸部が脚体の支柱側に取り付けられる荷崩れ防止ガイドの係合凹凸部と凹凸嵌合する位置に取り付けられるように位置決めする位置決めマークを形成してなることを特徴とする請求項２又は３に記載の折畳式昇降台。
【発明の詳細な説明】
【技術分野】
【０００１】
本発明は、踏台や脚立として使用される折畳式昇降台に関し、特に、略ハの字状に配置される左右一対の支柱に踏桟を上下複数段に取り付けた一対の脚体の上端部どうしを開脚姿勢と折畳姿勢とに折り畳み自在に枢支連結してなる折畳式昇降台に関する。
【背景技術】
【０００２】
従来の折畳式昇降台として特許公報等の公知文献を具体的に挙げることはできないが、従来の折畳式昇降台において、複数の昇降台を折畳姿勢で積み重ねた時に荷崩れしないように、各脚体の支柱側面に係合用の凹凸部を設けて、昇降台の積み重ね時に昇降台どうし間で互いに凹凸嵌合するようにした昇降台は知られている。しかし、従来の昇降台では、昇降台を同じ向きに積み重ねる場合のみに適用されるもので、昇降台を互い違いに積み重ねる場合には昇降台どうし間で凹凸嵌合しないため、互い違い積み重ね場合には、荷崩れの防止を図ることができなかった。
【発明の開示】
【発明が解決しようとする課題】
【０００３】
昇降台の保管場所等において昇降台をフォークリフトで運搬する時に、複数の昇降台を互い違いに積み重ねた場合には問題ないが、複数の昇降台を同じ向きに積み重ねた場合には重心が偏るためにフォークリフトでの運搬が非常に難しく、運搬途中で積み重ね昇降台が引っ繰り返るといった問題があった。
【０００４】
本発明は、上記の課題に鑑み、脚立等の昇降台を同じ向きに積み重ねた場合のみならず互い違いに積み重ねた場合でも荷崩れを防止できるようにした折畳式昇降台を提供するとこを目的とする。
【課題を解決するための手段】
【０００５】
上記課題を解決するための手段を、後述する実施形態の参照符号を付して説明すると、請求項１に係る発明は、略ハの字状に配置される左右一対の支柱７，７に踏桟８を上下複数段に取り付けた一対の脚体４，４の上端部どうしを開脚姿勢と折畳姿勢とに折り畳み自在に枢支連結してなる折畳式昇降台であって、
各脚体４には各支柱７の上端側所要部及び下段側踏桟８ａの所要部で複数の昇降台１を折畳姿勢で積み重ねる時に互いに対面する側面部に、昇降台１を同じ向き又は互い違いに積み重ね時に昇降台１，１どうし間で互いに凹凸嵌合する係合凸部９及び係合凹部１０を備えた荷崩れ防止ガイド２，３を取り付けたことを特徴とする。
【０００６】
請求項２は、請求項１に記載の折畳式昇降台において、各荷崩れ防止ガイド２，３は取付用ガイド本体２ａ，３ａを有し、この取付用ガイド本体２ａ，３ａの表面側に係合凸部９及び係合凹部１０とリベット又はボルト取付用凹部１１とを設けてなることを特徴とする。
【０００７】
請求項３は、請求項２に記載の折畳式昇降台において、取付用ガイド本体２ａ，３ａの裏面側には脚体４の支柱７側又は踏桟８側に設けられる位置決め孔１２に係合する位置決め突起１３を設けてなることを特徴とする。
【０００８】
請求項４は、請求項２又は３に記載の折畳式昇降台において、脚体４の支柱７側に取り付けられる荷崩れ防止ガイド２の取付用ガイド本体２ａには、この支柱側荷崩れ防止ガイド２の係合凹凸部９，１０が脚体４の踏桟８側に取り付けられる荷崩れ防止ガイド３の係合凹凸部９，１０と凹凸嵌合する位置に取り付けられるように位置決めする位置決めマーク１４を形成してなることを特徴とする。
【０００９】
請求項５は、請求項２又は３に記載の折畳式昇降台において、脚体４の踏桟８側に取り付けられる荷崩れ防止ガイド３の取付用ガイド本体３ａには、この踏桟側荷崩れ防止ガイド３の係合凹凸部９，１０が脚体４の支柱７側に取り付けられる荷崩れ防止ガイド２の係合凹凸部９，１０と凹凸嵌合する位置に取り付けられるように位置決めする位置決めマーク１５を形成してなることを特徴とする。
【発明の効果】
【００１０】
上記解決手段による発明の効果を、後述する実施形態の参照符号を付して説明すると、請求項１に係る発明によれば、各脚体４に、支柱７の上端側所要部及び下段側踏桟８ａの所要部で複数の昇降台１を折畳姿勢で積み重ねる時に互いに対面する側面部に、昇降台１を同じ向き又は互い違いに積み重ね時に昇降台１，１どうし間で互いに凹凸嵌合する係合凸部９及び係合凹部１０を備えた荷崩れ防止ガイド２，３を取り付けているから、脚立等の昇降台１を複数台同じ向きに積み重ねた場合のみならず互い違いに積み重ねた場合でもその積み重ね昇降台１…の荷崩れを有効に防止することができる。
【００１１】
請求項２に係る発明によれば、荷崩れ防止ガイド２，３は取付用ガイド本体２ａ，３ａを有し、この取付用ガイド本体２ａ，３ａの表面側に係合凸部９及び係合凹部１０とリベット又はボルト取付用凹部１１とを設けているから、荷崩れ防止ガイド２，３の取付用ガイド本体２ａ，３ａを脚体４の支柱７及び踏桟８に対してリベット１６又はボルト１７で容易に取り付けることができる。
【００１２】
請求項３に係る発明によれば、取付用ガイド本体２ａ，３ａの裏面側には脚体４の支柱７側又は踏桟８側に設けられる位置決め孔１２に係合する位置決め突起１３を設けているから、脚体４の支柱７側又は踏桟８側に設けられる位置決め孔１２に荷崩れ防止ガイド２，３の位置決め突起１３を係合させることにより、荷崩れ防止ガイド２，３の取付を迅速且つ的確に行なうことができる。
【００１３】
請求項４に係る発明によれば、支柱側荷崩れ防止ガイド２の取付けにあたって、昇降台１を互い違いに積み重ねる際に支柱側荷崩れ防止ガイド２の係合凹凸部９，１０が踏桟側荷崩れ防止ガイド３の係合凹凸部９，１０に凹凸嵌合する位置に支柱側荷崩れ防止ガイド２を容易に取り付けることができる。
【００１４】
請求項５に係る発明によれば、踏桟側荷崩れ防止ガイド３の取付けにあたって、昇降台１を互い違いに積み重ねる際に踏桟側荷崩れ防止ガイド３の係合凹凸部９，１０が支柱側荷崩れ防止ガイド２の係合凹凸部９，１０に凹凸嵌合する位置に踏桟側荷崩れ防止ガイド３を容易に取り付けることができる。
【発明を実施するための最良の形態】
【００１５】
以下に本発明の好適な実施形態について図面に基づいて説明すると、図１の(a) は本発明に係る折畳式昇降台を示すもので、折り畳んだ状態の正面図、(b) は側面図であり、図２の(a) は支柱側荷崩れ防止ガイドの正面図、(b) は平面図、(c) は背面図であり、図３の(a) は図２の(a) のＡ−Ａ線断面図、(b) は同図 のＢ−Ｂ線断面図、(c) は同図のＣ−Ｃ線断面図であり、図４の(a) は踏桟側荷崩れ防止ガイドの正面図、(b) はその平面図、(c) は背面図であり、図５の(a) は踏桟側荷崩れ防止ガイドの側面図、(b) は同図のＤ−Ｄ線断面図、(c) は同図のＥ−Ｅ線断面図、(d) は同図のＦ−Ｆ線断面図である。
【００１６】
これらの図面に示すように、昇降台１は前後一対の脚体４，４からなるもので、両脚体４，４は、その上端部どうしが蝶番５によって枢支連結されると共に、左右一対のリンク機構６，６によって、両脚体４，４の下端側が開いた逆Ｖ字形の開脚姿勢（図示省略）と、図１の(b) に示すように両脚体４，４の下端側が閉じて平行に折り畳まれた折畳姿勢とに姿勢変自在となっている。
【００１７】
各脚体４は、図１の(a) に示すように、下部側が拡幅するような略ハの字状に配置される左右一対の支柱７，７に踏桟８を上下複数段に一定間隔で取り付けることによって形成されるもので、各脚体４には各支柱７の上端側所要部及び下段側踏桟８ａの所要部で複数の昇降台１を図１(b) に示すような折畳姿勢で積み重ねる時に互いに対面する側面部に、昇降台１を同じ向き又は互い違いに積み重ね時に昇降台１，１どうし間で互いに凹凸嵌合する係合凸部９及び係合凹部１０を備えた支柱側荷崩れ防止ガイド２及び踏桟側荷崩れ防止ガイド３を取り付けている。
【００１８】
上記荷崩れ防止ガイド２，３の構造について詳細に説明すると、先ず図２及び図３には脚体４の支柱７側に取り付ける荷崩れ防止ガイド２を示す。この支柱側荷崩れ防止ガイド２は、例えば合成樹脂からなる取付用ガイド本体２ａを有し、この取付用ガイド本体２ａの表面側には長手方向の中央部側寄りに係合凸部９及び係合凹部１０が設けられ、その両端部側に夫々リベット又はボルト取付用凹部１１が設けられ、また取付用ガイド本体２ａの裏面側には脚体４の支柱７側に設けられる係合孔１２（図２の(b) 参照）に係合する位置決め突起１３が突設されている。
【００１９】
支柱側荷崩れ防止ガイド２の係合凸部９は、円錐台形状に形成され、係合凹部１０は、係合凸部９が嵌合可能な形状に形成されると共に、係合凸部９の高さより若干深く形成されている。また、図２の(a) ，(b) に示すように、支柱側荷崩れ防止ガイド２には取付用ガイド本体２ａの表面に、この支柱側荷崩れ防止ガイド２の係合凸部９又は係合凹部１０が脚体４の踏桟８側に取り付けられる荷崩れ防止ガイド３の係合凹部１０又は係合凸部９と凹凸嵌合することができる位置に取り付けられるように位置決めするための２つの斜線１４ａ，１４ａからなる略Ｖ字状の位置決めマーク１４が形成されている。各斜線１４ａの傾斜角度は、脚体４の支柱７の傾斜角度α°（図１の(a) 参照）と同じで、例えば６°である。
【００２０】
図４及び図５には脚体４の踏桟８側に取り付ける荷崩れ防止ガイド３を示す。この踏桟側荷崩れ防止ガイド３は、上記の支柱側荷崩れ防止ガイド２と同じような構成であって、例えば合成樹脂からなる取付用ガイド本体３ａを有し、この取付用ガイド本体３ａの表面側には長手方向の中央部側寄りに係合凸部９及び係合凹部１０が設けられ、その両端部側に夫々リベット又はボルト取付用凹部１１が設けられ、また取付用ガイド本体３ａの裏面側には脚体４の踏桟８ａ側に設けられる係合孔１２（図４の(b) 参照）に係合する位置決め突起１３が突設されている。
【００２１】
踏桟側荷崩れ防止ガイド３の係合凸部９も、円錐台形状に形成され、係合凹部１０は、係合凸部９が嵌合可能な形状に形成されると共に、係合凸部９の高さより若干深く形成されている。また、図４の(a) ，(b) に示すように、この踏桟側荷崩れ防止ガイド３には取付用ガイド本体３ａの表面に、この踏桟側荷崩れ防止ガイド３の係合凸部９又は係合凹部１０が脚体４の支柱７側に取り付けられた荷崩れ防止ガイド２の係合凹部１０又は係合凸部９と凹凸嵌合することができる位置に取り付けられるように位置決めするための２つの斜線１５ａ，１５ａからなる略ハの字状の位置決めマーク１５が形成されている。各斜線１５ａの傾斜角度は、脚体４の支柱７の傾斜角度α°（図１の(a) 参照）と同じで、例えば６°である。
【００２２】
図６は踏桟側荷崩れ防止ガイド３を踏桟８の表側壁部に取り付けた状態を示し、(a) はブラインドリベット１６によって取付用ガイド本体３ａを踏桟８の表側壁部８ａに取り付ける場合で、取付用ガイド本体３ａの取付用凹部１１からブラインドリベット１６を踏桟８の表側壁部８ａに貫通させて固着したものであり、(b) はボルト１７で取付用ガイド本体３ａを踏桟８の表側壁部８ａに取り付ける場合で、取付用凹部１１からボルト１７を踏桟８の表側壁部８ａに貫通させ、ナット１８を締め付けて固着したものである。
【００２３】
図７は支柱側荷崩れ防止ガイド２を支柱７の表側壁部に取り付けた状態を示し、(a) はブラインドリベット１６によって取付用ガイド本体２ａを支柱７の表側壁部７ａに取り付ける場合で、取付用ガイド本体２ａの取付用凹部１１からブラインドリベット１６を支柱７の表側壁部７ａに貫通させて固着したものであり、(b) はボルト１７で取付用ガイド本体２ａを支柱７の表側壁部７ａに取り付ける場合で、取付用凹部１１からボルト１７を支柱７の表側壁部７ａに貫通させ、ナット１８を締め付けて固着したものである。
【００２４】
尚、脚体４の支柱７は断面コ字状の金属型材からなるもので、支柱側荷崩れ防止ガイド２が取り付けられる表側壁部７ａは凹凸状に形成されていることから、この支柱側荷崩れ防止ガイド２の取付用ガイド本体２ａの裏面側は、表側壁部７ａの凹凸状に対応する凹凸状に形成されている。
【００２５】
また、支柱側荷崩れ防止ガイド２を支柱７に取り付けるにあたり、また踏桟側荷崩れ防止ガイド３踏桟８に取り付けるにあたって、支柱７の表側壁部７ａ及び踏桟８の表側壁部８ａには夫々所定個所に係合孔１２を設け、この係合孔１２に荷崩れ防止ガイド２，３の位置決め突起１３を係合させる（図２の(b) 及び図４の(b) 参照）ことにより、荷崩れ防止ガイド２，３の取付けを迅速且つ的確に行なうことができる。
【００２６】
支柱側荷崩れ防止ガイド２は、図１の(a) ，(b) に示すように、各脚体４における左右両支柱７，７の表側壁部の夫々上端部側に取り付けられると共に、左右両支柱７，７側の左右２つの荷崩れ防止ガイド２，２は、図１の(a) から分かるように、係合凸部９と係合凹部１０とが左右で互いに逆の位置にくるように取り付けられ、また両脚体４，４の一方側の脚体４における左右各支柱７の荷崩れ防止ガイド２は、他方側の脚体４における左右各支柱７の前後に対応する支柱７の荷崩れ防止ガイド２に対し係合凸部９と係合凹部１０とが左右で互いに逆の位置にくるように取り付けられている（図１の(b) 参照）。
【００２７】
また、踏桟側荷崩れ防止ガイド３は、図１の(a)  に示すように、各脚体４における下段側踏桟８（この実施形態では最下段の踏桟８ａ）の表側壁部の左右両端側所要位置に取り付けられると共に、両脚体４，４における一方側の脚体４の荷崩れ防止ガイド３と、他方側の脚体４の荷崩れ防止ガイド３とは、前後方向に対応する位置にあるものどうしで係合凸部９と係合凹部１０とが左右逆の位置にくるように取り付けられている。これは、昇降台１を同じ向きに積み重ねた場合に、互いに対向する一方の脚体４の各踏桟側荷崩れ防止ガイド３の係合凸部９及び係合凹部１０が、他方の脚体４の各踏桟側荷崩れ防止ガイド３の係合凹部１０及び係合凸部９と夫々凹凸嵌合するようになるからである。また、この踏桟側荷崩れ防止ガイド３が下段側踏桟８に取り付けられる位置は、昇降台１を互い違いに積み重ねた時に、互いに積み重なって対向する昇降台１，１どうし間において、一方の脚体４の支柱側荷崩れ防止ガイド２の係合凸部９又は係合凹部１０が、対向する他方の脚体４の踏桟側荷崩れ防止ガイド３の係合凹部１０又は係合凸部９に対して凹凸嵌合することができる位置である。尚、この実施形態では、踏桟側荷崩れ防止ガイド３は、脚体４の最下段の踏桟８ａに取り付けているが、下から二番目の踏桟８に取り付けてもよい。
【００２８】
図８は複数の昇降台１…を同じ向きに積み重ねた場合の積み重ね状態の平面図、図９は同状態の正面図であって、互いに積み重なって対向する昇降台１，１どうし間において、対向する一方の脚体４の各支柱側荷崩れ防止ガイド２の係合凸部９及び係合凹部１０が、対向する他方の脚体４の各支柱側荷崩れ防止ガイド２の係合凹部１０及び係合凸部９に対して夫々互いに凹凸嵌合すると共に、対向する一方の脚体４の各踏桟側荷崩れ防止ガイド３の係合凸部９及び係合凹部１０が、他方の脚体４の対向する各踏桟側荷崩れ防止ガイド３の係合凹部１０及び係合凸部９に対して夫々互いに凹凸嵌合し、それによって荷崩れが防止される。
【００２９】
図１０は複数の昇降台１…を各昇降台１の向きが互い違いになるように積み重ねた場合の積み重ね状態の平面図、図１１は同状態の正面図、図１２は図１０の矢印Ｇで示す部分の拡大図、図１３は図１０の矢印Ｈで示す部分の拡大図である。このように互い違いに積み重なって対向する昇降台１，１どうし間においては、図１１〜図１３を参照すれば分かるように、対向する一方の脚体４の各支柱側荷崩れ防止ガイド２の係合凹部１０又は係合凸部９が、対向する他方の脚体４の各踏桟側荷崩れ防止ガイド３の係合凸部９又は係合凹部１０に夫々互いに凹凸嵌合し、それによって互い違いに積み重なった状態での荷崩れが防止されることになる。
【００３０】
尚、支柱側荷崩れ防止ガイド２及び踏桟側荷崩れ防止ガイド３を各脚体４の支柱７側及び踏桟８側に夫々取り付ける際には、図１２に示すように、昇降台１を互い違いに積み重ねた状態において互いに重なりあった一方の昇降台１の支柱側荷崩れ防止ガイド２に設けてある位置決めマーク１４の斜線１４ａが、他方の昇降台１の下段側踏桟８ａの下端縁８ａｏに合致すると共に、この他方の昇降台１の踏桟側荷崩れ防止ガイド３に設けてある位置決めマーク１５の斜線１５ａが、前記一方の昇降台１の支柱７の内側端縁７ａｏに合致するように、荷崩れ防止ガイド２，３を取り付けることによって、昇降台１を互い違いに積み重ねた場合に、互いに重なりあって対向する一方の脚体４の各支柱側荷崩れ防止ガイド２の係合凹部１０又は係合凸部９を、対向する他方の脚体４の各踏桟側荷崩れ防止ガイド３の係合凸部９又は係合凹部１０に夫々確実に凹凸嵌合させることができる。
【００３１】
この場合、支柱７は左右の位置で傾斜が逆になるため、支柱側荷崩れ防止ガイド２を左右何れの支柱７に取り付けるかによって、支柱側位置決めマーク１４の２つの斜線１４ａ，１４ａ及び踏桟側位置決めマーク１５の２つの斜線１５ａ，１５ａを夫々使い分けすればよい。また、この実施形態のように、支柱側荷崩れ防止ガイド２及び踏桟側荷崩れ防止ガイド３に夫々位置決めマーク１４，１５を設けるのが好ましいが、支柱側位置決めマーク１４又は踏桟側位置決めマーク１５の何れか一方のみ設けても有効である。即ち、支柱側位置決めマーク１４のみを設けた場合は、支柱側荷崩れ防止ガイド２の取付けに際し、一方の昇降台１の支柱側位置決めマーク１４の斜線１４ａを他方の昇降台１の下段側踏桟８ａの下端縁８ａｏに合致させるようにすれば、支柱側荷崩れ防止ガイド２の取付けが容易となり、また踏桟側位置決めマーク１５のみ設けた場合は、踏桟側荷崩れ防止ガイド３の取付け時に、一方の昇降台１の踏桟側位置決めマーク１５の斜線１５ａを他方の昇降台１の支柱７の内側端縁７ａｏに合致させるようにすることで踏桟側荷崩れ防止ガイド３の取付けが容易となる。
【００３２】
図１４及び図１５は踏桟側荷崩れ防止ガイド３及び支柱側荷崩れ防止ガイド２の他の実施例を示すもので、図１４は、係合凸部９及び係合凹部１０を夫々脚体４の支柱７の傾斜角度α°（例えば６°）と同じ角度だけ傾斜させた断面長円形状に形成した踏桟側荷崩れ防止ガイド３で、(a) は正面図、(b) は平面図、(c) は背面図、(d) は側面図である。図１５は図１４に示す踏桟側荷崩れ防止ガイド３の断面長円形状係合凸部９及び係合凹部１０が凹凸嵌合する支柱側荷崩れ防止ガイド２を示すもので、(a) は正面図、(b) は平面図、(c) は背面図、(d) は側面図であり、この支柱側荷崩れ防止ガイド２の係合凸部９及び係合凹部１０は、踏桟側荷崩れ防止ガイド３の係合凸部９及び係合凹部１０に対して凹凸嵌合可能な横に長い長円形状に形成されている。このような荷崩れ防止ガイド２，３によれば、係合凸部９及び係合凹部１０が夫々長円形状であるため、互いに凹凸嵌合する係合凸部９と係合凹部１０とに多少の位置ずれがあっても、合わせ易くなる利点がある。
【図面の簡単な説明】
【００３３】
【図１】(a) は本発明に係る折畳式昇降台の折り畳んだ状態での正面図、(b) はその側面図である。
【図２】(a) は支柱側荷崩れ防止ガイドの正面図、(b) は平面図、(c) は背面図である。
【図３】(a) は図２の(a) のＡ−Ａ線断面図、(b) は同図 のＢ−Ｂ線断面図、(c) は同図のＣ−Ｃ線断面図である。
【図４】(a) は踏桟側荷崩れ防止ガイドの正面図、(b) はその平面図、(c) は背面図である。
【図５】(a) は踏桟側荷崩れ防止ガイドの側面図であり、(b) は同図のＤ−Ｄ線断面図、(c) は同図のＥ−Ｅ線断面図、(d) は同図のＦ−Ｆ線断面図である。
【図６】(a) は踏桟側荷崩れ防止ガイドをリベットで踏桟に取り付けた状態の断面図、(b) はボルト・ナットで取り付けた状態の断面図である。
【図７】(a) は支柱側荷崩れ防止ガイドをリベットで支柱に取り付けた状態の断面図、(b) はボルト・ナットで取り付けた状態の断面図である。
【図８】昇降台を同じ向きに積み重ねた場合の積み重ね状態の平面図である。
【図９】同状態の正面図であ
【図１０】昇降台を互い違いに積み重ねた場合の積み重ね状態の平面図である。
【図１１】同状態の正面図である。
【図１２】図１０の矢印Ｇで示す部分の拡大図である。
【図１３】図図１０の矢印Ｈで示す部分の拡大図である。
【図１４】係合凸部及び係合凹部を夫々脚体の支柱の傾斜角度と同じ角度だけ傾斜させた断面長円形状の踏桟側荷崩れ防止ガイドで、(a) は正面図、(b) は平面図、(c) は背面図、(d) は側面図である。
【図１５】図１４に示す踏桟側荷崩れ防止ガイドの断面長円形状係合凸部及び係合凹部が凹凸嵌合する支柱側荷崩れ防止ガイドを示すもので、(a) は正面図、(b) は平面図、(c) は背面図、(d) は側面図である。
【符号の説明】
【００３４】
１            昇降台
２            支柱側荷崩れ防止ガイド
２ａ          支柱側荷崩れ防止ガイドの取付用ガイド本体
３            踏桟側荷崩れ防止ガイド
３ａ          踏桟側荷崩れ防止ガイドの取付用ガイド本体
４            脚体
７            支柱
８            踏桟
９            係合凸部
１０          係合凹部
１１          リベット又はボルト取付用凹部
１４          位置決めマーク
１５          位置決めマーク
【図１】
2008208592.tif 000003
【図２】
2008208592.tif 000004
【図３】
2008208592.tif 000005
【図４】
2008208592.tif 000006
【図５】
2008208592.tif 000007
【図６】
2008208592.tif 000008
【図７】
2008208592.tif 000009
【図８】
2008208592.tif 000010
【図９】
2008208592.tif 000011
【図１０】
2008208592.tif 000012
【図１１】
2008208592.tif 000013
【図１２】
2008208592.tif 000014
【図１３】
2008208592.tif 000015
【図１４】
2008208592.tif 000016
【図１５】
2008208592.tif 000017